【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
植え込み型医療用デバイスであって、
第１の複数の実質的に平面の電極を備え、少なくとも第１の電源面を含む、第１の電源と、
第１の実質的に平面の電子機器面と、該第１の実質的に平面の電子機器面と実質的に対向する第２の電子機器面とを含む、電子機器モジュールと、
第２の複数の実質的に平面の電極を備える、第２の電源と
を備え、
該第１の電源と、該電子機器モジュールと、該第２の電源とが配列されて、該第１の実質的に平面の電子機器面が、該第１の電源面に隣接し、かつこれと実質的に同延性を有し、そして、該第２の電源が、該第２の電子機器面に隣接して位置決めされ、かつこれに接続するように適合される、デバイス。
【請求項２】
前記第１の複数の実質的に平面の電極は、前記第１の電源面に平行に配置され、前記第２の複数の実質的に平面の電極は、前記第2の電子機器面に平行に配置される、請求項１に記載の植え込み型医療用デバイス。
【請求項３】
前記第１の電源は、バッテリであって、前記第２の電源は、キャパシタであって、該バッテリと該キャパシタとは、アンペア時バッテリ容量当たり約１．２５ジュールからアンペア時バッテリ容量当たり約５０ジュールまで送達するように適合され、該バッテリは、１立方センチメートル当たり約０．２３アンペア時から１立方センチメートル当たり約０．２５アンペア時までのバッテリ容量密度を含む、請求項１〜２のいずれかに記載の植え込み型医療用デバイス。
【請求項４】
前記第１の電源は、バッテリであって、前記第１の電源面は実質的に平面であり、前記第２の電源は、キャパシタである、請求項１〜３のいずれかに記載の植え込み型医療用デバイス。
【請求項５】
前記第１の電源面と対向する前記バッテリのバッテリ面であって、バッテリ側壁は、該バッテリ面と該第１の電源面との間に延在する、バッテリ面と、
第２のキャパシタ面と対向する第１の平面キャパシタ面であって、キャパシタ側壁は、該第１のキャパシタ面と該第２のキャパシタ面との間に延在する、第１の平面キャパシタ面と
をさらに備え、該バッテリ側壁と該キャパシタ側壁とは、実質的に連続した表面を画定する、請求項４に記載の植え込み型医療用デバイス。
【請求項６】
前記第２の電子機器面は、該第２の電極面に沿って、前記第１の実質的に平面の電極面から直角方向距離において変化するトポグラフィを含む、請求項１〜５のいずれかに記載の植え込み型医療用デバイス。
【請求項７】
前記第２の電子機器面は、前記第１の実質的に平面の電子機器面と対向する実質的に平面の部分を備え、該実質的に平面の部分は、前記第２の電源に接続するように適合される、請求項６に記載の植え込み型医療用デバイス。
【請求項８】
前記実質的に平面の部分は、前記第１の実質的に平面の電子機器面からの第１の直角方向距離にあって、変圧器は、該第１の実質的に平面の電子機器面から第２の直角方向距離だけ延在し、該第２の直角方向距離は、該第１の直角方向距離より大きい、請求項７に記載の植え込み型医療用デバイス。
【請求項９】
植え込み型医療用デバイスを組み立てる方法であって、
第１の電源面を含む第１の電源と、第２の電源と、電子機器モジュール面を含む電子機器モジュールとをスタックに積層することであって、それにより、第１の電源面が、第１の電子機器モジュール面外周と実質的に同延性を有する、ことと、
少なくとも第１の筐体部分と、該第１の筐体部分と対向する第２の筐体部分とによって、該スタックを封入することであって、該第１と第２の筐体部分とは、少なくとも部分的に内部を画定する、ことと
を含み、該第１の筐体部分は、該スタックの厚さに基づいて、複数の筐体部分から選択される、方法。
【請求項１０】
前記第１の電源と前記第２の電源との間の比率を選択することをさらに含む、請求項９に記載の方法。
【請求項１１】
複数の電源から、前記第１の電源を選択することであって、該複数の電源のそれぞれは、前記第１の電子機器モジュール面と実質的に同延性を有するような大きさにされたそれぞれの電源面を含み、該複数の電源のそれぞれは、該それぞれの電源面から測定されたそれぞれの電源の厚さに対応するそれぞれの電源容量を含む、ことをさらに含む、請求項９〜１０のいずれかに記載の方法。
【請求項１２】
複数の電源から前記第２の電源を選択することであって、該複数の電源のそれぞれは、前記第２の電子機器面に接続するように適合される、ことをさらに含む、請求項９〜１１のいずれかに記載の方法。
【請求項１３】
前記第１の電子機器外周は、前記積層方向に直交する平面を画定し、前記第１の筐体部分は、トリミングされ、該トリミングの線は、前記スタックの該積層方向に実質的に直交する平面を画定する、請求項９〜１２のいずれかに記載の方法。
【請求項１４】
第１のスタック内に第１の複数の実質的に平面の電極を積み重ねることをさらに含み、該第１のスタックは、前記第１の電源の第１の筐体内に配置されており、該第１の複数の実質的に平面の電極は、前記第１の電源面と実質的に平行である、請求項９〜１３のいずれかに記載の方法。
【請求項１５】
前記複数の筐体部分をポピュレートするために、少なくとも２つの筐体部分をトリミングすることをさらに含む、請求項９〜１４のいずれかに記載の方法。
【手続補正２】
【補正対象書類名】明細書
【補正対象項目名】００１１
【補正方法】変更
【補正の内容】
【００１１】
本課題を解決するための手段は、本出願の教示のいくつかの概要であって、本主題の扱いの排他的または包括的でものであることを意図しない。本主題に関するさらなる詳細は、発明を実施するための形態および付属の請求項において見られる。他の側面は、以下の発明を実施するための形態を熟読および理解し、その一部を成す図面を参照することによって、当業者には明白となるが、それぞれ、限定的な意味に解釈されるものではない。本発明の範囲は、付属の請求項およびその法的同等物によって定義される。
例えば、本発明は以下の項目を提供する。
（項目１）
植え込み型医療用デバイスであって、
第１の複数の実質的に平面の電極を備え、少なくとも第１の電源面を含む、第１の電源と、
第１の実質的に平面の電子機器面と、該第１の実質的に平面の電子機器面と実質的に対向する第２の電子機器面とを含む、電子機器モジュールと、
第２の複数の実質的に平面の電極を備える、第２の電源と
を備え、
該第１の電源と、該電子機器モジュールと、該第２の電源とが配列されて、該第１の実質的に平面の電子機器面が、該第１の電源面に隣接し、かつこれと実質的に同延性を有し、そして、該第２の電源が、該第２の電子機器面に隣接して位置決めされ、かつこれに接続するように適合される、デバイス。
（項目２）
上記第１の電源は、キャパシタである、項目１に記載の植え込み型医療用デバイス。
（項目３）
上記第２の電源は、バッテリである、項目２に記載の植え込み型医療用デバイス。
（項目４）
上記第１の電源は、バッテリである、項目１に記載の植え込み型医療用デバイス。
（項目５）
上記第２の電子機器面は、該第２の電子機器面に沿って、上記第１の実質的に平面の電子機器面からの直角方向距離が変化するトポグラフィを含む、項目１に記載の植え込み型医療用デバイス。
（項目６）
上記第２の電子機器面は、上記第１の実質的に平面の電子機器面と対向する実質的に平面の部分を備え、該第１の実質的に平面の電子機器面は、上記第２の電源に接続するように適合される、項目５に記載の植え込み型医療用デバイス。
（項目７）
上記実質的に平面の部分は、上記第１の実質的に平面の電子機器面からの第１の直角方向距離にあって、変圧器は、該第１の実質的に平面の電子機器面から第２の直角方向距離だけ延在し、該第２の直角方向距離は、該第１の直角方向距離を上回っている、項目６に記載の植え込み型医療用デバイス。
（項目８）
上記第１の複数の実質的に平面の電極は、少なくとも２つの異なる形状を含む、項目１に記載の植え込み型医療用デバイス。
（項目９）
上記第２の複数の実質的に平面の電極は、少なくとも２つの異なる形状を含む、項目１に記載の植え込み型医療用デバイス。
（項目１０）
上記第１の電源は、バッテリであって、上記第２の電源は、キャパシタであって、該バッテリと該キャパシタとは、アンペア時バッテリ容量当たり約１．２５ジュールからアンペア時バッテリ容量当たり約５０ジュールまで送達するように適合される、項目１に記載の装置。
（項目１１）
上記バッテリは、立方センチメートル当たり約０．２３アンペア時から立方センチメートル当たり約０．２５アンペア時までのバッテリ容量密度を含む、項目１０に記載の装置。
（項目１２）
上記キャパシタは、立方センチメートル当たり約４．６５ジュールから立方センチメートル当たり６．５ジュールまでのエネルギー密度を含む、項目１０に記載の装置。
（項目１３）
上記第１の電源は、バッテリであって、上記第１の電源面は実質的に平面であり、上記第２の電源は、キャパシタであって、該第２の電源は、
該第１の電源面と対向するバッテリのバッテリ面であって、バッテリ側壁は、該バッテリ面と該第１の電源面との間に延在する、バッテリ面と、
第２のキャパシタ面と対向する第１の平面キャパシタ面であって、キャパシタ側壁は、該第１のキャパシタ面と該第２のキャパシタ面との間に延在する、第１の平面キャパシタ面と
をさらに備え、該バッテリ側壁と該キャパシタ側壁とは、実質的に連続した表面を画定する、項目１に記載の装置。
（項目１４）
上記第１の複数の実質的に平面の電極は、上記平面の第１の電源面と平行に配置される、項目１に記載の装置。
（項目１５）
上記第２の複数の実質的に平面の電極は、上記第２の電子機器面と平行に配置される、項目１４に記載の装置。
（項目１６）
植え込み型医療用デバイスを組み立てる方法であって、
第１の電源面を含む第１の電源と、第２の電源と、電子機器モジュール面を含む電子機器モジュールとをスタックに積層することであって、それにより、第１の電源面が、第１の電子機器モジュール面外周と実質的に同延性を有する、ことと、
少なくとも第１の筐体部分と、該第１の筐体部分と対向する第２の筐体部分とによって、該スタックを封入することであって、該第１と第２の筐体部分とは、少なくとも部分的に内部を画定する、ことと
を備え、該第１の筐体部分は、該スタックの厚さに基づいて、複数の筐体部分から選択される、方法。
（項目１７）
少なくとも２つの筐体部分をトリミングして、該複数の筐体部分をポピュレートすることをさらに備える、項目１６に記載の方法。
（項目１８）
上記第１と第２の筐体部分とを密閉シールすることをさらに備える、項目１６に記載の方法。
（項目１９）
上記第１の電源と上記第２の電源との間の比率を選択することをさらに備える、項目１６に記載の方法。
（項目２０）
第１のスタック内に第１の複数の実質的に平面の電極を積み重ねることであって、該第１のスタックは、上記第１の電源の第１の筐体内に配置されており、該第１の複数の実質的に平面の電極は、上記第１の電源面と実質的に平行である、ことをさらに備える、項目１６に記載の方法。
（項目２１）
第２のスタック内に第２の複数の実質的に平面の電極を積み重ねることであって、該第２のスタックは、上記第２の電源の第２の筐体内に配置されており、該第２の複数の実質的に平面の電極は、上記第２の電源面と実質的に平行である、ことをさらに備える、項目２０に記載の方法。
（項目２２）
積み重ねプロセスを使用して、複数の平坦バッテリ層を上記バッテリスタックに積み重ねることと、
該積み重ねプロセスを使用して、複数の平坦キャパシタ層を上記キャパシタスタックに積み重ねることと
をさらに備える、項目１６に記載の方法。
（項目２３）
上記積み重ねプロセスは、第１のピック・アンド・プレース機械を含む、項目２２に記載の方法。
（項目２４）
複数の電源から、上記第１の電源を選択することであって、該複数の電源のそれぞれは、上記第１の電子機器モジュール面と実質的に同延性を有するような大きさにされたそれぞれの電源面を含み、該複数の電源のそれぞれは、該それぞれの電源面から測定されたそれぞれの電源の厚さに対応するそれぞれの電源容量を含む、ことをさらに備える、項目１６に記載の方法。
（項目２５）
複数の電源から上記第２の電源を選択することであって、該複数の電源のそれぞれは、上記第２の電子機器面に接続するように適合される、ことをさらに備える、項目２４に記載の方法。
（項目２６）
上記第１の電子機器外周は、上記積層方向に直交する平面を画定する、項目１６に記載の方法。
（項目２７）
上記第１の筐体部分は、トリミングされ、該トリミングの線は、上記スタックの上記積層方向に実質的に直交する平面を画定する、項目２６に記載の方法。
（項目２８）
電気パルスを生成するための電子機器モジュール手段と、
該電子機器モジュールが配置される、密閉シールされた植え込み型デバイス筐体と、
スタックの厚さが上記筐体の厚さと相関するように、該電子機器モジュール手段を有するスタックに積層するためのバッテリ手段およびキャパシタ手段と 
を備え、該スタックは、該密閉シールされた植え込み型デバイス筐体内に配置される、装置。
（項目２９）
上記キャパシタ手段は、キャパシタフォームファクタを有し、上記バッテリ手段は、バッテリフォームファクタを有し、上記電子機器モジュール手段は、電子機器モジュールフォームファクタを有し、隣接関係にある該バッテリフォームファクタと該電子機器モジュールフォームファクタと該キャパシタフォームファクタとによって画定される全体フォームファクタは、実質的に平滑である、項目２８に記載の装置。
（項目３０）
上記キャパシタ手段は、上記電子機器モジュールの電子機器モジュール側壁と同一平面上にある、キャパシタ側壁を有する、項目２９に記載の装置。
（項目３１）
上記バッテリ手段は、上記電子機器モジュールの電子機器モジュール側壁と同一平面上にある、バッテリ側壁を有する、項目２９に記載の装置。
（項目３２）
植え込み型医療用デバイスであって、
第１の複数の実質的に平面の電極を備え、少なくとも第１の電源面を含む、第１の電源と、
第２の複数の実質的に平面の電極を備え、第２の電源面と、第３の電源面とを含む、第２の電源と、
電子機器面を含む、電子機器モジュールと
を備え、該第１の電源と該電子機器モジュールと該第２の電源とは、配列されることにより、該第１の電源面が、該第２の電源面に隣接し、かつこれと実質的に同延性を有し、そして、該第２の電源面が、該電子機器面に隣接し、かつこれと実質的に同延性を有する、デバイス。
（項目３３）
上記第１の電源は、キャパシタである、項目３２に記載の植え込み型医療用デバイス。
（項目３４）
上記第２の電源は、バッテリである、項目３３に記載の植え込み型医療用デバイス。
（項目３５）
上記第１の複数の実質的に平面の電極は、少なくとも２つの異なる形状を含む、項目３２に記載の植え込み型医療用デバイス。
（項目３６）
上記第２の複数の実質的に平面の電極は、少なくとも２つの異なる形状を含む、項目３５に記載の植え込み型医療用デバイス。